(57)【要約】【課題】簡単で、単純な構造を有するため、施術に便利であり、測定が容易で測定時間を短縮させることができ、ブラケットの高さを正確に合わせてブラケットを取り付けることができて、歯牙矯正の效率を向上させることができる歯牙矯正ブラケット取付用ツールを提供すること。【解決手段】相互接近または離隔されながら歯牙に取り付けられるブラケットを把持する一対のブラケット把持部と；一対のブラケット把持部に連結されて、ブラケット把持部が相互接近または離隔されるように操作する一対の取っ手部とを含み、一対のブラケット把持部の中の少なくとも何れか一つには歯牙の端部に対するブラケットの高さを測定するスケールが形成されることを特徴とする歯牙矯正ブラケット取付用ツール。【選択図】図３
2015505503.tif 000002
【特許請求の範囲】
【請求項１】
相互接近または離隔されながら歯牙に取り付けられるブラケットを把持する一対のブラケット把持部；及び前記一対のブラケット把持部に連結されて、前記ブラケット把持部が相互接近または離隔されるように操作する一対の取っ手部を含み、
前記一対のブラケット把持部の中の少なくとも何れか一つの端部には前記歯牙の端部に対する前記ブラケットの高さを測定するスケールが形成されることを特徴とする歯牙矯正ブラケット取付用ツール。
【請求項２】
前記ブラケット把持部は四角断面形状を有することを特徴とする請求項１に記載の歯牙矯正ブラケット取付用ツール。
【請求項３】
前記ブラケット把持部は、前記歯牙の端部に配置されて、測定の基準を形成する係止突起が形成された多角断面形状を有し、前記ブラケット把持部には前記歯牙の端部を指示する端部指示部が形成されることを特徴とする請求項１に記載の歯牙矯正ブラケット取付用ツール。
【請求項４】
前記スケールは前記ブラケット把持部の少なくとも何れか一辺に形成されることを特徴とする請求項１に記載の歯牙矯正ブラケット取付用ツール。
【請求項５】
前記ブラケットは、接着剤が付着されるブラケットベースと、矯正用針金が挿入されるスロットと、前記ブラケットベースと前記スロットとの間に配置されるステムとを含み、
前記スケールが形成された前記ブラケット把持部は前記ステムまたは前記ブラケットベースの一側と前記歯牙端部との間の距離を測定することを特徴とする請求項１に記載の歯牙矯正ブラケット取付用ツール。
【請求項６】
前記一対のブラケット把持部の接近または離隔動作をガイドするガイドをさらに含むことを特徴とする請求項１に記載の歯牙矯正ブラケット取付用ツール。
【請求項７】
前記ガイドは、前記一対のブラケット把持部の領域に設けられる第１ガイドと；前記一対の取っ手部の領域に設けられる第２ガイドとを含むことを特徴とする請求項６に記載の歯牙矯正ブラケット取付用ツール。
【請求項８】
前記第１ガイド及び第２ガイドは何れも、ガイド突起と；前記ガイド突起がガイドされるガイドグルーブとを含むことを特徴とする請求項７に記載の歯牙矯正ブラケット取付用ツール。
【請求項９】
前記ブラケット把持部は、端部に行くほどその幅が狭くなったり広くなる階段式多角形状を有するか、一側が突出された突出形状を有することを特徴とする請求項１に記載の歯牙矯正ブラケット取付用ツール。
【発明の詳細な説明】
【技術分野】
【０００１】
本発明は、歯牙矯正ブラケット取付用ツールに関するもので、より詳しくは、簡単で、単純な構造を有するので、施術が便利であり、測定が容易で測定時間を短縮させることができ、特にブラケットの高さを正確に合わせてブラケットを取り付けることができて、歯牙矯正の效率を向上させることができる歯牙矯正ブラケット取付用ツールに関する。
【背景技術】
【０００２】
一般に、歯牙をきちんと配列することにより、歯牙の見掛け機能、発音機能、咀嚼機能などを回復する歯科矯正治療分野で最も重要な段階は、ブラケットを歯牙の特定部位に迅速、正確に取り付け、隣接する歯牙と均一で調和する高さにブラケットが位置されることができるようにすることである。
【０００３】
歯牙を動かす弾力を提供する矯正用針金は、取り付けられたブラケットのスロットに挿入されることによって、その矯正力を歯牙に伝達して、所望の歯牙を移動させることができる。
【０００４】
従って、矯正治療の時、ブラケットの取付方法と取付器具は非常に重要である。
【０００５】
このような矯正治療のうち、ブラケットの正確な位置は、歯牙上に適切な上下高さとアンギュレーション（ａｎｇｕｌａｔｉｏｎ、歯牙の近遠心方向（左右方向）の傾斜）、トーク（ｔｏｒｑｕｅ、歯牙の唇舌方向（前後方向）の勾配）、ローテーション（ｒｏｔａｔｉｏｎ、歯牙装着基準の回転の程度）などを、３次元的に正確に再現してこそ、立派な矯正治療が保障される。この時、特に施術者の施術によって決められる高さの具現が間違っている場合、トークを含むアンギュレーション、ローテーションも変形される悪影響を及ぼすので、適切な高さの具現は非常に重要な矯正治療過程とされている。
【０００６】
従来には、施術者の肉眼に依存して接着剤を利用してブラケットを歯牙のブラケットの装着位置に取り付けた。
【０００７】
このように、肉眼に依存してブラケットを装着すると、ブラケットの取付位置が一律的でなくて、不正確になるという短所がある。
【０００８】
このような短所を解消するために、最近、大韓民国特許庁出願番号第１０−２００６−０１３５８２８号などでは、ゲージを用いてブラケットを取り付けている。
【０００９】
ところが、上記文献を含めた従来技術の場合、別途のゲージを利用して歯牙の端部とブラケットのスロットとの間の距離を測定して、ブラケットが歯牙に正確に取り付けられたか否かを測定しなければならなく、また、ゲージの構造上、狭いスロットの内部で計測されなければならないため、施術が困難であり、またブラケットを取り付ける時、他の平面上にあるブラケットスロットから歯牙端部までの垂直高さを測定するための水平保持が困難であり、特に視野と接近が不良な臼歯領域の水平保持に難しくなるという問題点がある。また、数秒内に硬化される接着剤が塗られたブラケットを初めにはツィーザーで挟んで歯面上に臨時的に取り付けた後、ゲージを用いて高さを測定する二重過程は施術時間が長くなる問題もある。
【００１０】
結果的には、従来技術の場合、歯牙の端部とブラケットの高さを正確に合わせることが容易ではなく、このような短所を補った技術開発が要求される。
【発明の開示】
【発明が解決しようとする課題】
【００１１】
本発明は、簡単で、単純な構造を有するので、施術が便利であり、何よりも歯牙の端部と同一平面上にあるブラケットベースの一端から歯牙の端部まで計測するので、計測が容易であるとともに、水平を保持しやすく、ツィーザーと計測ゲージの機能を同時に果たすので、時間節約の長所があり、ブラケットの高さを正確に合わせてブラケットを取り付けることができて、歯牙矯正の效率を向上させることができる歯牙矯正ブラケット取付用ツールを提供する。
【課題を解決するための手段】
【００１２】
上記目的は、相互間接近または離隔されながら歯牙に取り付けられるブラケットを把持する一対のブラケット把持部；及び上記一対のブラケット把持部に連結されて、上記ブラケット把持部が相互接近または離隔されるように操作する一対の取っ手部を含み、上記一対のブラケット把持部の中の少なくとも何れか一つには上記歯牙の端部に対する上記ブラケットの高さを測定するスケールが形成され、歯牙の端部を指示する端部指示部が設置されることを特徴とする歯牙矯正ブラケット取付用ツールによって達成される。
【００１３】
上記ブラケット把持部は四角断面形状を有することができる。
【００１４】
上記ブラケット把持部は、上記歯牙の端部に配置されて測定の基準を形成する係止突起が形成された多角断面形状を有することができ、上記ブラケット把持部には上記歯牙の端部を指示する端部指示部が形成されることができる。
【００１５】
上記スケールは上記ブラケット把持部の少なくとも何れか一辺に形成されることができる。
【００１６】
上記ブラケットは接着剤が付着されるブラケットベースと、矯正用針金が挿入されるスロットと、上記ブラケットベースと上記スロットとの間に配置されるステムとを含み、上記スケールが形成された上記ブラケット把持部は上記ステムまたは上記ブラケットベースの一側と上記歯牙端部との間の距離を測定することができる。
【００１７】
上記一対のブラケット把持部の接近または離隔動作をガイドするガイドをさらに含むことができる。
【００１８】
上記ガイドは、上記一対のブラケット把持部領域に設けられる第１ガイド；及び上記一対の取っ手部領域に設けられる第２ガイドを含むことができる。
【００１９】
上記第１ガイド及び第２ガイドは何れも、ガイド突起；及び上記ガイド突起がガイドされるガイドグルーブを含むことができる。
【００２０】
上記ブラケット把持部は、端部に行くほどその幅が狭くなったり広くなる階段式多角形状を有するか、一側が突出された突出形状を有することができる。
【発明の効果】
【００２１】
本発明によれば、簡単で、且つ単純な構造を有するので、施術が便利であり、また測定が容易で、測定時間を短縮させることができ、何よりもブラケットの高さを正確に合わせてブラケットを取り付けることができて、歯牙矯正の效率を向上させることができるという效果を奏する。
【図面の簡単な説明】
【００２２】
【図１】歯牙矯正状態の概略図である。
【図２】本発明の第１実施例による歯牙矯正ブラケット取付用ツールの側面構造図である。
【図３】図２の平面構造図である。
【図４】図２に示した歯牙矯正ブラケット取付用ツールの使用例として、ブラケットステムから歯牙端部までの高さの計測図面である。
【図５】本発明の第２実施例による歯牙矯正ブラケット取付用ツールの側面構造図である。
【図６】本発明の第３実施例による歯牙矯正ブラケット取付用ツールの使用例である。
【図７】歯牙矯正ブラケット取付用ツールの多様な変形例である。
【発明を実施するための最良の形態】
【００２３】
以下、添付図面を通じて本発明の好ましい実施例を説明することによって、本発明を詳しく説明する。
【００２４】
図１は歯牙矯正状態の概略図である。
【００２５】
この図面の場合、歯牙の矯正のために、各歯牙にブラケット１０が装着され、ブラケット１０に矯正用針金２０が設置された状態を示している。
【００２６】
ブラケット１０は接着剤３０（図４を参照）によって歯牙のブラケット取付位置Ｂ／Ｐに取り付ける。
【００２７】
ブラケット１０は図４に示したように、接着剤３０が取り付けられるブラケットベース（ｂａｓｅ）１１と、矯正用針金２０が挿入されるスロット（ｓｌｏｔ）１２と、これらの間に配置されるステム（ｓｔｅｍ）１３とを有する。
【００２８】
そして、矯正用針金２０は取り付けられたブラケット１０のスロット１２（図４を参照）に挿入されることによって、その固定力を歯牙に伝達して所望の歯牙を移動させることができる。
【００２９】
図１のような方法で歯牙を矯正すれば、施術後、歯牙がきちんとに配列されることができて、見掛け機能、発音機能、咀嚼機能などが回復することができる。
【００３０】
図１の場合は、唇側矯正治療で、ブラケット１０を唇側（即ち歯牙の外側唇または頬側）に取り付け、ブラケット１０に矯正用針金２０をかけて引張る場合である。
【００３１】
しかし、上記事項に本発明の権利範囲が制限されない。即ち、本発明は外側で見えない舌側に施術される舌側矯正治療にも適用されることができる。
【００３２】
一方、図１のような歯牙矯正を施行する方法において、最も重要なのが歯牙に対するブラケット取付位置Ｂ／Ｐを正確に測定した後、そのブラケット取付位置Ｂ／Ｐにブラケット１０を取り付けることである。
【００３３】
このために、従来には別途のゲージを用いた例があるが、ブラケット１０が不正確な位置に取り付けられたり施術が不便であって、本発明は次のような歯牙矯正ブラケット取付用ツール１００を提供している。
【００３４】
本発明の歯牙矯正ブラケット取付用ツール１００によれば、従来より簡単で、且つ単純な構造を有するので、施術が便利であり、何よりも歯牙の端部とブラケット１０の高さを正確に合わせてブラケット１０を取り付けることができて、歯牙の矯正效率を向上させることができるという利点がある。
【００３５】
図２は本発明の第１実施例による歯牙矯正ブラケット取付用ツールの側面構造であり、図３は図２の平面構造であり、そして図４は図２に示した歯牙矯正ブラケット取付用ツールの使用例である。
【００３６】
これらの図面によれば、本実施例の歯牙矯正ブラケット取付用ツール１００は、一対のブラケット把持部１１０と、一対のブラケット把持部１１０を操作する一対の取っ手部１３０とを含む。
【００３７】
一対のブラケット把持部１１０は相互間接近または離隔されながら歯牙に取り付けられるブラケット１０を把持する役割を果たす。
【００３８】
一対の取っ手部１３０は一対のブラケット把持部１１０に連結されて、一対のブラケット把持部１１０が相互接近または離隔されるように操作する役割を果たす。実際、施術者が手で握る部分が一対の取っ手部１３０である。
【００３９】
参考に、本実施例の歯牙矯正ブラケット取付用ツール１００はツィーザータイプに適用されることができる。
【００４０】
ツィーザータイプの歯牙矯正ブラケット取付用ツール１００は、図２ａに示した矢印方向に力を加えて、一対の取っ手部１３０を接近させた時、一対のブラケット把持部１１０が相互離隔され、一対の取っ手部１３０に加えた力を取除くと、図２ｂのように、一対のブラケット把持部１１０が相互接近されるタイプである。
【００４１】
しかし、一対の取っ手部１３０を相互接近させる時、一対のブラケット把持部１１０も一緒に相互接近されて、一対の取っ手部１３０を相互離隔させる時、一対のブラケット把持部１１０も一緒に相互離隔されるピンセットタイプにも本発明の権利範囲が適用されることができる。
【００４２】
一方、図３に拡大して示したように、ブラケット把持部１１０の周りの辺は直線形状を有しながら隣接同士が相互交差されるように設けられることができる。このような形状で考慮すると、ブラケット把持部１１０の全体形状は四角断面形状を有することができる。
【００４３】
ブラケット把持部１１０が四角断面形状を有しながら、その周りの辺が直線形状を成す場合、歯牙に対するブラケット１０の水平保持に有利である。即ち、ブラケット１０を把持した状態で直線形状の周りの辺を通じて水平度を合わせれば良く、歯牙に対するブラケット１０の水平保持に有利である。
【００４４】
このようなブラケット把持部１１０には歯牙の端部Ａ（図４を参照）に対するブラケット１０の高さ、特に歯牙の端部Ａ（図４を参照）に対してブラケット１０が取り付けられるブラケット取付位置Ｂ／Ｐまでの高さを測定する手段としてスケール１１１が形成される。
【００４５】
スケール１１１は目盛りであり、単位はミリメートル（ｍｍ）、センチメートル（ｃｍ）であることができる。このようなスケール１１１は、図３に示したように、ブラケット把持部１１０の端部のある一辺、即ち歯牙に向ける前方側の第１辺１１０ａに形成されることができる。
【００４６】
このような構成によって、ブラケットに接着剤を塗布してから、図２ａに示した矢印方向に力を加えて、一対のブラケット把持部１１０を相互離隔させた状態で、ブラケット１０が一対のブラケット把持部１１０の間で把持されるようにした後、図４のように、歯牙の一側の表面に配置する。
【００４７】
そして、ブラケット１０が歯牙の所望の高さに位置するように、ブラケット把持部１１０のスケール１１１を利用してブラケット１０が歯牙の表面に位置されるように調整する。
【００４８】
即ち、ブラケット把持部１１０をブラケット１０のステム１３の下側から起立するように配置した後、ブラケット把持部１１０のスケール１１１を利用して歯牙の端部Ａ（図４を参照）に対してブラケット１０が取り付けられるブラケット取付位置Ｂ／Ｐまでの高さをスケール１１１で測定する。
【００４９】
測定が完了されると、ブラケット１０の位置を調整して、ブラケット１０をブラケット取付位置Ｂ／Ｐの歯牙に取り付けさせれば良い。
【００５０】
このような構造と動作を有する本実施例によれば、簡単で、且つ単純な構造を有するので、施術が便利であり、測定が容易で、測定時間を短縮させることができ、何よりも歯牙の端部Ａとブラケット１０の高さを正確に合わせてブラケット１０を取り付けることができて、歯牙の矯正效率を向上させることができる。
【００５１】
図５は本発明の第２実施例による歯牙矯正ブラケット取付用ツールの側面構造である。
【００５２】
この図面によれば、本実施例の歯牙矯正ブラケット取付用ツール２００には、ブラケット把持部２１０の接近または離隔動作の時、ズレないようにガイドするガイド２５０ａ、２５０ｂがさらに設けられる。
【００５３】
ガイド２５０ａ、２５０ｂは一対のブラケット把持部２１０の領域に設けられる第１ガイド２５０ａと、一対の取っ手部２３０の領域に設けられる第２ガイド２５０ｂとを含むことができる。
【００５４】
位置的に、差があるだけで、第１ガイド２５０ａ及び第２ガイド２５０ｂは何れもガイド突起２５１と、ガイド突起２５１がガイドされるガイドグルーブ２５２とを含むことができる。
【００５５】
このように、ガイド２５０ａ、２５０ｂが設けられると、特に、ブラケット把持部２１０の接近動作を安定的にガイドすることができるので、数値変化なしにブラケット１０を安定的に把持することができるという利点がある。
【００５６】
図６は本発明の第３実施例による歯牙矯正ブラケット取付用ツールの使用例である。
【００５７】
この図面によれば、本実施例の歯牙矯正ブラケット取付用ツール３００の場合、ブラケット把持部３１０は、歯牙の端部Ａに配置されて測定の基準を形成する係止突起３１５が形成された多角断面形状、例えば係止突起３１５の領域が一側に突出された突出形状（構造）、つまり「Ｌ」字状の断面形状を有する。
【００５８】
ブラケット把持部３１０には、歯牙の端部Ａに対してブラケット１０が取り付けられるブラケット取付位置Ｂ／Ｐまでの高さ、言い換えれば、ブラケットベース１１の下端から歯牙の端部Ａまでの高さを測定（計測）する手段としてスケール３１１が形成される。
【００５９】
この時、ブラケット把持部３１０には歯牙の端部Ａを指示する端部指示部３１２が形成されることができ、これを通じて高さを正確で、容易に計測することができる。即ち、係止突起３１５を歯牙の端部Ａに触れるだけで、ブラケットベース１１の下端から歯牙の端部Ａまでの高さが容易に計測されることができる。
【００６０】
図７は歯牙矯正ブラケット取付用ツールの多様な変形例である。
【００６１】
図７ａはスケール４１１がブラケット把持部４１０の対向する二辺４１０ｂ、４１０ｃ全部に形成されている場合に対して示しており、図７ｂはスケール５１１がブラケット把持部５１０の周りの辺５１０ａ、５１０ｂ、５１０ｃ全部に形成されている場合に対して示している。
【００６２】
そして、図７ｃ及び図７ｄはブラケット把持部６１０、７１０が四角断面形状ではない、すなわちブラケット把持部６１０、７１０の自由端部に行くほどその幅が狭くなったり広くなる階段式多角形状を有している場合に対して示している。
【００６３】
図７ａ〜図７ｄのような形状、あるいはそれに対応する類似形状を有しても本発明の效果を提供することができる。例えば、図６で説明した突出形状を有することもできる。
【００６４】
参考に、図７ｃ及び図７ｄにはスケールが示されていないが、図７ｃ及び図７ｄにもスケールが形成されることができることは勿論である。
【００６５】
また、前述した実施例では、ツィーザータイプの歯牙矯正ブラケット取付用ツールに対して説明しているが、本発明による歯牙矯正ブラケット取付用ツールはピンセットタイプにも適用されることができることは勿論である。
【００６６】
このように、本発明は記載された実施例に限定されるのではなく、本発明の思想及び範囲を逸脱しないで多様に修正及び変形することができることは当該の技術分野において通常の知識を有する者にとって自明である。従って、このような修正例または変形例は本発明の特許請求の範囲に属すべきである。
【符号の説明】
【００６７】
１０：ブラケット
１１：ブラケットベース
１２：スロット
１３：ステム
２０：矯正用針金
３０：接着剤
１００：歯牙矯正ブラケット取付用ツール
１１０：ブラケット把持部
１１１：スケール
１３０：取っ手部
【図１】
2015505503.tif 000003
【図２】
2015505503.tif 000004
【図３】
2015505503.tif 000005
【図４】
2015505503.tif 000006
【図５】
2015505503.tif 000007
【図６】
2015505503.tif 000008
【図７】
2015505503.tif 000009
【国際調査報告】
2015505503.tif 000010
2015505503.tif 000011
2015505503.tif 000012
2015505503.tif 000013